(57)【特許請求の範囲】
【請求項１】
振動体の外周をエッジを介しフレームに支持するスピーカにおいて、
前記振動体は、アッパーホルダー（１）と、このアッパーホルダー（１）の外周背面に嵌め込んで一体化され、かつ外周部がボイスコイル（８）を有するボイスコイルボビン（４）に嵌め込まれるボトムホルダー（３）とからなり、前記エッジ（５）の内周部（５ａ）は、接着剤を用いることなく前記アッパーホルダー（１）とボトムホルダー（３）間に、前記アッパーホルダー（１）およびボトムホルダー（３）の形状に沿って屈曲させて挟み込み支持して一体化し、かつ前記ボトムホルダー（３）の外周部をボイスコイルボビン（４）の前端内周部に接着剤を塗布して嵌め込み一体化することを特徴とするスピーカ。
【請求項２】
請求項１記載のスピーカにおいて、前記アッパーホルダー（１）の前面に選択されたウエイト（２）を設置可能としたことを特徴とするスピーカ。
【発明の詳細な説明】
【技術分野】
【０００１】
この発明は、音響機器の一種であって小口径のウーハーとして用いると好適なスピーカに関する。
【背景技術】
【０００２】
スピーカは、フレームの底部側中央に設けられた磁気回路と、この磁気回路によって駆動される、コイルボビンにボイスコイルが巻回されてなる駆動コイル部と、この駆動コイル部と結合された振動板と、この振動板の外周に内周部が結合され、外周部がフレームに結合されたエッジとを備えている。
【０００３】
図３は本発明の一実施例の前提となる従来例で、１’は振動板として機能するダストキャップ兼ウェイト、４’はボイスコイルボビン、５’はエッジ、６’はフレーム、７’はガスケットパイプ、１７’はガスケットパイプ７’とフレーム６’とを一体化するネジである。
【０００４】
組み立てにあたっては、円筒状をなすボイスコイルボビン４’の前端部内にダストキャップ兼ウェイト１’を嵌め込み、かつエッジ５’の内周部には接着剤の溜め部となるほぼＪ字状をなす接着部５ａ’が形成され、接着剤（ａ）を介してエッジ５’と、ボイスコイルボビン４’とを一体化し、このエッジ５’を介しボイスコイルボビン４’およびダスト兼ウェイト１’の振動系を支持している。
【０００５】
動作にあたっては、ボイスコイルに音声信号を加えボイスコイルボビン４’を駆動すると、その振動がダスト兼ウェイト１’に伝達されダスト兼ウェイト１’は前後方向に振動し音波を放射する。
【０００６】
この場合、動作振幅時の耐久性は、主にボイスコイルボビン４’とエッジ５’間の接着剤ａの接合強度で決まっていた。
【発明の開示】
【発明が解決しようとする課題】
【０００７】
しかしながら、このように接着剤ａを介しエッジ５’とボイスコイルボビン４’等とを一体化する構造では、振動系の頻繁な前後動の振幅の繰り返しにより、接着剤ａの接合強度が低下し、エッジ５’がボイスコイル４’から剥れるおそれがある、という課題があった。
【０００８】
この発明は上記のことに鑑み提案されたもので、その目的とするところは、エッジがボイスコイルから剥れることを防止し、動作振幅時の耐久性を向上させ、かつ容易に駆動性能をコントロールし得るスピーカを提供することにある。
【課題を解決するための手段】
【０００９】
請求項１の発明は、振動体の外周をエッジを介しフレームに支持するスピーカにおいて、前記振動体は、アッパーホルダー１と、このアッパーホルダー１の外周背面に嵌め込んで一体化され、かつ外周部がボイスコイル８を有するボイスコイルボビン４に嵌め込まれるボトムホルダー３とからなり、前記エッジ５の内周部５ａは、接着剤を用いることなく前記アッパーホルダー１とボトムホルダー３間に、前記アッパーホルダー１およびボトムホルダー３の形状に沿って屈曲させて挟み込み支持して一体化し、かつ前記ボトムホルダー３の外周部をボイスコイルボビン４の前端内周部に接着剤を塗布して嵌め込み一体化することを特徴とする。
請求項２の発明は、請求項１記載のスピーカにおいて、前記アッパーホルダー１の前面に選択されたウエイト２を設置可能としたことを特徴とする。
【発明の効果】
【００１０】
請求項１記載の本発明によれば、エッジ５をアッパーホルダー１とボトムホルダー３に挟み込んで支持・一体化し、ボトムホルダー３をボイスコイルボビン４に嵌合させているため、エッジ５がボイスコイルボビン４から剥れることはなく、振幅時の耐久性はエッジ材の屈曲強度によるものとしたので、特別な設備を必要とせず容易に耐久性を向上させることができる。
請求項２記載の本発明によれば、ウエイトを選択してアッパーホルダー１前面に設置可能としたため、容易に駆動性能Ｆｏを使用目的に応じコントロールすることができる。
【発明を実施するための最良の形態】
【００１１】
以下、図面に沿って本発明の実施例を説明する。
【実施例１】
【００１２】
図１は本発明の要部説明図を示す。
【００１３】
図中１は前面に必要に応じ適宜の材質、形状等のウエイト２を設置可能なアッパーホルダー、３はアッパーホルダー１の外周側の背部に設けられる平面形状がリング状をなすボトムホルダーで、ボトムホルダー３の外周部にボイスコイルボビン４が設けられる。
【００１４】
これらアッパーホルダー１、ボイスコイルボビン４が外周に設けられたボトムホルダー３とを備えてなる振動体は、エッジ５を介し振動可能に支持される。
【００１５】
本発明で特徴的なことは、アッパーホルダー１とボトムホルダー３間にエッジ５の内周部５ａを挟み込んで接着剤を用いることなくエッジ５を支持し、エッジ５をアッパーホルダー１およびボトムホルダー３によって挟持して一体化するようにした点にある。
【００１６】
アッパーホルダー１は、樹脂の成形品からなり、前面に適宜のウエイト２を接着剤を介し設置可能な平坦状の本体１ａと、この本体１ａの外周部に形成されたエッジ挟持部１ｂとを備えている。
【００１７】
エッジ挟持部１ｂの縦断面形状は、平坦状の本体１ａの外周において前方に向かって立ち上がった立ち上げ部１ｃと、その前端部から前方に向かって斜め外側方向に延びる傾斜部１ｄと、その前端部において外周側に折り曲げられた折曲部１ｅとを有している。
【００１８】
ボトムホルダー３も樹脂の成形品からなり、アッパーホルダー１に嵌合させ一体化するため、アッパーホルダー１のエッジ挟持部１ｂの背面外周に設けられるボトムホルダー３の内周面は、エッジ挟持部１ｂの外周面に嵌合可能なほぼ対応した形状をなし、傾斜部や折曲部等を有している。
【００１９】
ボトムホルダー３とボイスコイルボビン４の接着は接合強度に優れるせん断応力が掛かる構造とし、ボトムホルダー３の外周面の形状は、側面から見た場合、直線状に形成され、かつその後部には、ボトムホルダー３をボイスコイルボビン４に嵌め込み易いよう内側に向かって切欠かれたテーパ部３ａが形成されている。
【００２０】
なお、ボトムホルダー３の外周面とボイスコイルボビン４の内周面間には接着剤が入るクリアランスが設けられている。
【００２１】
ロール形状をしたエッジ５は丈夫なゴムコート布からなり、その外周部５ｂは、フレーム６の前端部６ａと円筒状をなすガスケットパイプ７の段差部７ａとの間に挟持され、エッジ５は固定される。
【００２２】
ボイスコイルボビン４の後端外周部に巻装されたボイスコイル８は、磁気回路９の磁気ギャップ１０内に配置される。
【００２３】
磁気回路１０は、有底円筒状のヨーク１１と、このヨーク１１内に設けられたマグネット１２と、このマグネット１２の上部に設けられたポールピース１３とからなり、ポールピース１３の外周とヨーク１１の対向する円周面間に磁気ギャップ１０が形成されている。
【００２４】
ヨーク１１の前端部１１ａにフレーム６がその後端部に形成された段差部６ａを介し一体に設けられる。フレーム６の内周面に段差部６ｂが形成され、この段差部６ｂにボイスコイルボビン４を振動可能に支持するダンパー１４の外周部が取り付けられている。
【００２５】
フレーム６の適位置には入力用のターミナル１５が設けられ、このターミナル１５に、リード線１６を介しボイスコイル８の引出線（図示せず）が接続されている。
【００２６】
組み立てにあたっては、磁気回路９にフレーム６を取り付け、かつ治具を介し磁気ギャップ１０の適正位置にボイスコイル８を配し、ダンパー１４の外周部をフレーム６に取り付け、ボイスコイルボビン４を支持する。
【００２７】
アッパーホルダー１のエッジ挟持部１ｂの背面外周部にエッジ５の内周部５ａを位置させ、ボトムホルダー３をアッパーホルダー１のエッジ挟持部１ｂに嵌め込んでエッジ５の内周部５ａをアッパーホルダー１、ボトムホルダー３の形状に沿って屈曲させて挟持し固定している。
【００２８】
本発明では、エッジ５の内周部を接着剤でボイスコイルボビン４に結合するのではなく、このようにアッパーホルダー１とボトムホルダー３間に挟持させ、振幅時の耐久性はエッジ材の屈曲強度に従うことができるようにし、耐久性を向上させている。
【００２９】
次にボトムホルダー３の外周部に接着剤を塗布し、ボトムホルダー３を円筒状のボイスコイルボビン４の前端内周部に嵌め込み両者を一体化する。
【００３０】
エッジ５の外周部５ｂをフレーム６の前端部に位置させガスケットパイプ７を取り付けて挟み込み、ネジ１７をガスケットパイプ７、フレーム６に螺設して固定する。
【００３１】
ターミナル１５、リード線１６等を介し音声信号をボイスコイル８に加えると磁気ギャップ内に設けられたボイスコイル８が振動する。
【００３２】
ボイスコイル８を有するボイスコイルボビン４には、エッジ５を介し振動可能に支持されたアッパーホルダー１、ボトムホルダー３が一体化されているため、駆動することができ、音波を放射させることができる。
【００３３】
この場合、アッパーホルダー１の前面に接着剤を介し乗せる、金属、樹脂または紙等からなるウエイト２の種類、形状を適宜選択することにより駆動性能Ｆｏを目的に応じ容易にコントロールすることができる。
【００３４】
なお、上記実施例の組立体は小口径のウーハーとして機能するが、同じ構造の組立体はアクチュエータとしても使用し得る。
【図面の簡単な説明】
【００３５】
【図１】本発明の一実施例の要部説明図。
【図２】本発明の全体構成図。
【図３】本発明の前提となる従来例の要部説明図を示す。
【符号の説明】
【００３６】
１    アッパーホルダー
１ａ  アッパーホルダー本体
１ｂ  エッジ挟持部
１ｃ  立上げ部
１ｄ  傾斜部
１ｅ  折曲部
２    ウエイト
３    ボトムホルダー
３ａ  テーパ部
４    ボイスコイルボビン
５    エッジ
５ａ  エッジ内周部
５ｂ  エッジ外周部
６    フレーム
６ａ、６ｂ  段部
７    ガスケットパイプ
８    ボイスコイル
９    磁気回路
１０  磁気ギャップ
１１  ヨーク
１２  マグネット
１３  ポールピース
１４  ダンパー
１５  ターミナル
１６  リード線
１７  ネジ
【図１】
0004789712.tif 000002
【図２】
0004789712.tif 000003
【図３】
0004789712.tif 000004